【誤訳訂正書】
【提出日】平成23年5月20日(2011.5.20)
【誤訳訂正１】
【訂正対象書類名】特許請求の範囲
【訂正対象項目名】全文
【訂正方法】変更
【訂正の内容】
【特許請求の範囲】
【請求項１】
Ａｓｐアミノ酸単位及び／又はＧｌｕアミノ酸単位を含み、それらのいくつかは、１つ以上の疎水性基（ＧＨ）（互いに同一であっても異なっていてもよい）を有するポリアミノ酸であって、
Ａｓｐアミノ酸単位及び／又はＧｌｕアミノ酸単位を含み、かつ、Ａｓｐアミノ酸単位及び／又はＧｌｕアミノ酸単位を含む１つ以上のポリアミノ酸分岐鎖Ｂ（互いに同一であっても異なっていてもよい）を有する少なくとも１種のポリアミノ酸主鎖（Ｃｐ）を有することを特徴とするポリアミノ酸。
【請求項２】
前記疎水性基が、
→（Ｉ）主鎖Ｃｐのみ、
→（ＩＩ）主鎖Ｃｐ及び分岐鎖Ｂ、
→（ＩＩＩ）あるいは、分岐鎖Ｂのみ、
に結合していることを特徴とする請求項１記載のポリアミノ酸。
【請求項３】
前記疎水性基ＧＨが、８〜３０個の炭素原子を含むことを特徴とする請求項１又は２記載のポリアミノ酸。
【請求項４】
前記疎水性基ＧＨが、下記の群：
■適宜少なくとも１つの不飽和結合及び／又は少なくとも１つのヘテロ原子を含んでいてもよい、直鎖又は分岐鎖状のＣ８〜Ｃ３０アルキル基、
■適宜少なくとも１つの不飽和結合及び／又は少なくとも１つのヘテロ原子を含んでいてもよい、Ｃ８〜Ｃ３０アルキルアリール基又はアリールアルキル基、
■適宜少なくとも１つの不飽和結合及び／又は少なくとも１つのヘテロ原子を含んでいてもよいＣ８〜Ｃ３０（多）環式基、
から選択されることを特徴とする請求項３記載のポリアミノ酸。
【請求項５】
前記疎水性基ＧＨが、オクタノール、ドデカノール、テトラデカノール、ヘキサデカノール、オクタデカノール、オレイルアルコール、トコフェロール、コレステロール、及びリトコール酸を含む群より選択される基から誘導されるものであることを特徴とする請求項１から４のいずれか記載のポリアミノ酸。
【請求項６】
α−Ｌ−グルタメート及び／又はα−Ｌ−グルタミン酸単位、あるいはα−Ｌ−アスパルテート及び／又はα−Ｌ−アスパラギン酸単位を含むことを特徴とする請求項１から５のいずれか記載のポリアミノ酸。
【請求項７】
下記一般式（Ｉ）、（ＩＩ）、及び（ＩＩＩ）のうちの１つで表されることを特徴とする請求項１から６のいずれか記載のポリアミノ酸。
【化１】
2008508388.tif 000001
【化２】
2008508388.tif 000002
【化３】
2008508388.tif 000003
式中：
■Ａは、独立して−ＣＨ２−又は−ＣＨ２−ＣＨ２−であり；
■Ｒ１は、Ｈ、直鎖状Ｃ２〜Ｃ１０アシル基、若しくは分岐鎖状Ｃ３〜Ｃ１０アシル基、又はピログルタメートであり；
■Ｅ、Ｅ’は、独立して：
・ＯＲ３（Ｒ３は下記のように定義される）、
・ＮＨＲ２基（式中、Ｒ２は、Ｈ、直鎖状Ｃ２〜Ｃ１０アルキル基、若しくは分岐鎖状Ｃ３〜Ｃ１０アルキル基、又はベンジル基である）；又は、
・末端アミノ酸単位（窒素により結合し、酸基は、ＮＨＲ２及びＯＲ２で定義されるアミン又はアルコールにより適宜修飾されている）、
のいずれかであり；
■Ｒ３は、Ｈ、又は下記を含む群から選択されるカチオン種であり；
・金属カチオン、
・下記を含むサブグループから選択される有機カチオン、
・アミンに基づくカチオン、
・オリゴアミンに基づくカチオン、
・ポリアミンに基づくカチオン、及び
・１つ以上のアミノ酸に基づくカチオン、及び
・カチオン性ポリアミノ酸、
■Ｃは、直接結合、又はアミノ酸残基及び１〜６個の炭素原子を含むヒドロキシアルコールから選択される結合基であり；
■Ｄ−ＧＨ基は、互いに独立してラジカルであり：
・Ｄは、結合基−Ｏ−、−ＮＨ−、又は−Ｎ−アルキル−（Ｃ１〜Ｃ５）、アミノ酸残基、ジオール、ジアミン、アミノアルコール、又は１〜６個の炭素原子を含むヒドロキシ酸であり、
・ＧＨは、８〜３０個の炭素原子を含む疎水性基であって：
・適宜少なくとも１つの不飽和結合及び／又は少なくとも１つのヘテロ原子を含んでいてもよい、直鎖状又は分岐鎖状のＣ８〜Ｃ３０アルキル基、
・適宜少なくとも１つの不飽和結合及び／又は少なくとも１つのヘテロ原子を含んでいてもよい、Ｃ８〜Ｃ３０アルキルアリール基又はアリールアルキル基、又は
・適宜少なくとも１つの不飽和結合及び／又は少なくとも１つのヘテロ原子を含んでいてもよい、Ｃ８〜Ｃ３０（多）環式基であり；
■（ｎ＋ｑ）／（ｑ＋ｐ＋ｏ＋ｎ＋ｍ）は、疎水性基ＧＨのモルグラフト化率として定義され、０．５〜９０モル％の値をとり；
・ｑ＋ｐ＋ｏ＋ｎ＋ｍは、２０〜５０００の値をとり；
・ｏ＋ｎ＋ｍ（分子骨格）は、１０〜５００の値をとり；
・ｏ／（ｏ＋ｎ＋ｍ）は、分岐鎖のグラフト化率として定義され、１〜５０モル％の値をとり；
・これらのポリアミノ酸（Ｉ）、（ＩＩ）、及び（ＩＩＩ）の主鎖Ｃｐは、繰り返し単位−［  ］ｏ−［  ］ｎ−［  ］ｍ−、又は−［  ］ｏ−［  ］ｍ−からなり、それらの分岐鎖Ｂは、繰り返し単位−［  ］ｐ−又は−［  ］ｐ−［  ］ｑ−からなり；
・疎水性基ＧＨ及び分岐鎖Ｂは、ランダムに配置されている。
【請求項８】
分子量が２０００〜８００，０００ｇ／モルであることを特徴とする請求項１から７のいずれか記載のポリアミノ酸。
【請求項９】
請求項１から８のいずれか記載の少なくとも１つのポリアミノ酸を含む化粧品用組成物。
【請求項１０】
請求項１から８のいずれか記載の少なくとも１つのポリアミノ酸を含む医薬用組成物。
【請求項１１】
少なくとも１つの活性成分を含むことを特徴とする請求項１０記載の医薬用組成物。
【請求項１２】
前記活性成分が、共有化学結合以外の１つ以上の結合を介して、前記ポリアミノ酸と会合していることを特徴とする請求項１１記載の医薬用組成物。
【請求項１３】
前記活性成分が、タンパク質、糖タンパク質、１つ以上のポリアルキレングリコール鎖に結合したタンパク質、多糖、リポ糖、オリゴヌクレオチド、ポリヌクレオチド、又はペプチドであることを特徴とする請求項１１又は１２記載の医薬用組成物。
【請求項１４】
前記活性成分が、低分子量の疎水性、親水性、又は両親媒性の有機分子であることを特徴とする請求項１１又は１２記載の医薬用組成物。
【請求項１５】
経口、非経口、経鼻、膣内、眼球、皮下、静脈内、筋肉内、皮内、腹膜内、大脳内、又は口腔内の経路により投与可能であることを特徴とする請求項１０から１４のいずれか記載の医薬用組成物。
【請求項１６】
水相中のポリアミノ酸のナノ粒子及び／又は微粒子及び／又はミセルのコロイド状の懸濁液であることを特徴とする請求項１０から１５のいずれか記載の医薬用組成物。
【請求項１７】
生体適合性の溶媒中の溶液の形態であり、皮下又は筋肉内の経路により、あるいは腫瘍内部に注射可能であることを特徴とする請求項１０から１６のいずれか記載の医薬用組成物。
【請求項１８】
注射部位で持続性薬剤を形成することが可能であることを特徴とする請求項１７記載の医薬用組成物。
【請求項１９】
経口、経鼻、膣内、眼球、皮下、静脈内、筋肉内、皮内、腹膜内、又は大脳内投与のための薬剤であって、これらの薬剤の活性成分が、タンパク質、糖タンパク、１つ以上のポリアルキレングリコール鎖に結合したタンパク質、ペプチド、多糖、リポ糖、オリゴヌクレオチド、ポリヌクレオチド、及び低分子量の疎水性、親水性、又は両親媒性の有機分子である薬剤を調製する方法であって、請求項１から８のいずれか記載の少なくとも１つのポリアミノ酸、又は請求項１０から１８のいずれか記載の医薬用組成物を使用する工程を本質的に含むことを特徴とする方法。
【誤訳訂正２】
【訂正対象書類名】明細書
【訂正対象項目名】０００１
【訂正方法】変更
【訂正の内容】
【０００１】
本発明は、特に、１つ以上の活性成分（Ａｃｔｉｖｅ  Ｐｒｉｎｃｉｐｌｅｓ：ＡＰ）のベクター化（ｖｅｃｔｏｒｉｚａｔｉｏｎ）に有用な、生分解性ポリアミノ酸に基づく新規な物質に関する。
本発明はさらに、これらのポリアミノ酸に基づく新規な医薬用、化粧品用、食品用、又は植物衛生用組成物に関する。これらの組成物は、ＡＰのベクター化を可能にするタイプのものであってよく、好ましくは、エマルジョン、ミセル、粒子、ゲル、インプラント、又はフィルムの形態を取ることができる。
前記ＡＰは、有利には、動物又はヒトに対して、経口、非経口、経鼻、膣内、眼球、皮下、静脈内、筋肉内、皮内、腹膜内、大脳内、口腔、又は他の経路で投与することができる生理活性化合物である。
本発明に関連するＡＰは、より具体的には、タンパク質、糖タンパク、ペプチド、多糖、リポ多糖、オリゴヌクレオチド又はポリヌクレオチド、及び有機分子であるが、これらに制限されない。しかし、それらは、化粧品、又は除草剤、殺虫剤、殺菌剤等の植物衛生用品であってもよい。
【誤訳訂正３】
【訂正対象書類名】明細書
【訂正対象項目名】０００９
【訂正方法】変更
【訂正の内容】
【０００９】
米国特許第４，３５１，３３７号明細書には、活性成分の放出制御のためのインプラント又は微粒子として用いることができるロイシン及びグルタメートに基づく両親媒性アミノ酸共重合体が記載されている。活性成分は、ポリマーの分解速度に応じて非常に長期間に亘って放出され得る。
【誤訳訂正４】
【訂正対象書類名】明細書
【訂正対象項目名】００１０
【訂正方法】変更
【訂正の内容】
【００１０】
米国特許第４，８８８，３９８号明細書には、ポリグルタメート又はポリアスパルテート、及び適宜ポリロイシンに基づき、アルコキシカルボニルメチル型のペンダント基がポリアミノ酸鎖中にランダムに位置するポリマーが記載されている。メトキシカルボニルメチル基等の側鎖官能基がグラフト化したこれらのポリアミノ酸は、ＡＰを含む長期放出型生分解性インプラントとして用いることができる。
【誤訳訂正５】
【訂正対象書類名】明細書
【訂正対象項目名】００１１
【訂正方法】変更
【訂正の内容】
【００１１】
米国特許第５，９０４，９３６号明細書は、ポリロイシン−ポリグルタメートブロックポリマーから得られ、安定なコロイド状懸濁液を生成し、生理活性タンパク質を変性させることなく自発的に会合することができるナノ粒子が記載されている。生理活性タンパク質は、生体内で制御された形で放出され得る。
【誤訳訂正６】
【訂正対象書類名】明細書
【訂正対象項目名】００１５
【訂正方法】変更
【訂正の内容】
【００１５】
同じ分野において、本出願人は、関連するデザインを有するポリグルタメートに基づくポリマーについて、いくつかの特許公開公報に記載している。
【誤訳訂正７】
【訂正対象書類名】明細書
【訂正対象項目名】００２２
【訂正方法】変更
【訂正の内容】
【００２２】
本目的及び他の目的は本発明により達成される。本発明はまず第１に、アスパラギン酸単位及び／又はグルタミン酸単位を含み、それらのいくつかは、１つ以上の疎水性基（ＧＨ）（互いに同一であっても異なっていてもよい）を有するポリアミノ酸であって、アスパラギン酸単位及び／又はグルタミン酸単位を含み、かつ、アスパラギン酸単位及び／又はグルタミン酸単位を含む１つ以上のポリアミノ酸分岐鎖Ｂ（互いに同一であっても異なっていてもよい）を有する少なくとも１種の主鎖（Ｃｐ）を有することを特徴とするポリアミノ酸に関する。
【誤訳訂正８】
【訂正対象書類名】明細書
【訂正対象項目名】００３０
【訂正方法】変更
【訂正の内容】
【００３０】
本発明において定義されているように：
・「ポリアミノ酸（ｐｏｌｙａｍｉｎｏ  ａｃｉｄ）」という用語は、一方では、１種類の「アミノ酸」単位（例えば、Ｇｌｕ（グルタミン酸若しくはグルタメート）単位又はＡｓｐ（アスパラギン酸若しくはアスパルテート）単位）を有するＰＡＡ、又はアミノ酸共重合体（Ｇｌｕ及びＡｓｐアミノ酸単位を、ランダム、傾斜、又はブロック型の集積度で含む）を包含し、他方では、２〜２０個の「アミノ酸」単位を含むオリゴアミノ酸、及び２０個を上回る「アミノ酸」単位を含むポリアミノ酸を包含し、
・「アミノ酸単位（ａｍｉｎｏ  ａｃｉｄ  ｕｎｉｔ）」という用語は、置換基が何であるかに関わりなく、それらが上記アミノ酸の性質を改変しない限り、あるアミノ酸の骨格を形成する単量体、又は非単量体の単位に関連する。
【誤訳訂正９】
【訂正対象書類名】明細書
【訂正対象項目名】００４１
【訂正方法】変更
【訂正の内容】
【００４１】
好ましくは、本発明の（ホモ）ポリアミノ酸は、α−Ｌ−グルタメート及び／又はα−Ｌ−グルタミン酸単位、あるいはα−Ｌ−アスパルテート及び／又はα−Ｌ−アスパラギン酸単位を含むホモオリゴマー又はホモポリマーである。
【誤訳訂正１０】
【訂正対象書類名】明細書
【訂正対象項目名】００４２
【訂正方法】変更
【訂正の内容】
【００４２】
特に好ましくは、本発明のポリアミノ酸は、下記一般式（Ｉ）、（ＩＩ）、及び（ＩＩＩ）で表されるポリグルタメートである。
【誤訳訂正１１】
【訂正対象書類名】明細書
【訂正対象項目名】００４３
【訂正方法】変更
【訂正の内容】
【００４３】
【化１】
2008508388.tif 000004
【化２】
2008508388.tif 000005
【化３】
2008508388.tif 000006
式中：
■Ａは、独立して−ＣＨ２−（アスパラギン酸単位）又は−ＣＨ２−ＣＨ２−（グルタミン酸単位）であり；
■Ｒ１は、Ｈ、直鎖状Ｃ２〜Ｃ１０アシル基、若しくは分岐鎖状Ｃ３〜Ｃ１０アシル基、又はピログルタメートであり；
■Ｅ、Ｅ’は、独立して：
・ＯＲ３（Ｒ３は下記のように定義される）、
・ＮＨＲ２基（式中、Ｒ２は、Ｈ、直鎖状Ｃ２〜Ｃ１０アルキル基、若しくは分岐鎖状Ｃ３〜Ｃ１０アルキル基、又はベンジル基である）；又は、
・末端アミノ酸単位（窒素により結合し、酸基は、ＮＨＲ２及びＯＲ２で定義されるアミン又はアルコールにより適宜修飾されている）、
のいずれかであり；
■Ｒ３は、Ｈ、又は好ましくは下記を含む群から選択されるカチオン種であり；
・有利には、ナトリウム、カリウム、カルシウム、及びマグネシウムを含むサブグループより選択される金属カチオン、
・有利には、下記を含むサブグループから選択される有機カチオン、
・アミンに基づくカチオン、
・オリゴアミンに基づくカチオン、
・ポリアミン（ポリエチレンイミンが特に好ましい）に基づくカチオン、及び
・有利には、リジン又はアルギニンに基づくカチオンを含む属から選択される１つ以上のアミノ酸に基づくカチオン、及び
・有利には、ポリリジン及びオリゴリジンを含むサブグループから選択されるカチオン性ポリアミノ酸、
■Ｃは、直接結合、又は（好ましくは天然の）アミノ酸残基及び１〜６個の炭素原子を含むヒドロキシアルコールから選択される結合基であり；
■Ｄ−ＧＨ基は、互いに独立してラジカルであり：
・Ｄは、結合基−Ｏ−、−ＮＨ−、又は−Ｎ−アルキル−（Ｃ１〜Ｃ５）、（好ましくは天然の）アミノ酸残基、ジオール、ジアミン、アミノアルコール、又は１〜６個の炭素原子を含むヒドロキシ酸であり、
・ＧＨは、８〜３０個の炭素原子を含む疎水性基であって：
・適宜少なくとも１つの不飽和結合及び／又は少なくとも１つのヘテロ原子（好ましくはＯ及び／又はＮ及び／又はＳ）を含んでいてもよい、直鎖状又は分岐鎖状のＣ８〜Ｃ３０アルキル基、
・適宜少なくとも１つの不飽和結合及び／又は少なくとも１つのヘテロ原子（好ましくはＯ及び／又はＮ及び／又はＳ）を含んでいてもよい、Ｃ８〜Ｃ３０アルキルアリール基又はアリールアルキル基、又は
・適宜少なくとも１つの不飽和結合及び／又は少なくとも１つのヘテロ原子（好ましくはＯ及び／又はＮ及び／又はＳ）を含んでいてもよい、Ｃ８〜Ｃ３０（多）環式基であり；
■（ｎ＋ｑ）／（ｑ＋ｐ＋ｏ＋ｎ＋ｍ）は、疎水性基ＧＨのモルグラフト化率として定義され、０．５〜９０モル％の値をとり；
・ｑ＋ｐ＋ｏ＋ｎ＋ｍは、２０〜５０００、好ましくは３０〜２０００の値をとり；
・ｏ＋ｎ＋ｍ（分子骨格）は、１０〜５００、好ましくは３０〜３００の値をとり；
・ｏ／（ｏ＋ｎ＋ｍ）は、分岐鎖のグラフト化率として定義され、１〜５０モル％の値をとり；
・これらのポリアミノ酸（Ｉ）、（ＩＩ）、及び（ＩＩＩ）の主鎖Ｃｐは、繰り返し単位−［  ］ｏ−［  ］ｎ−［  ］ｍ−、又は−［  ］ｏ−［  ］ｍ−からなり、それらの分岐鎖Ｂは、繰り返し単位−［  ］ｐ−又は−［  ］ｐ−［  ］ｑ−からなり；
・疎水性基ＧＨ及び分岐鎖Ｂは、ランダムに配置されている。
【誤訳訂正１２】
【訂正対象書類名】明細書
【訂正対象項目名】００４４
【訂正方法】変更
【訂正の内容】
【００４４】
本発明の第１の実施の形態において、ポリアミノ酸の主鎖Ｃｐ及び分岐鎖Ｂは、α−Ｌ−グルタメート又はα−Ｌ−グルタミン酸のホモポリマーである。
【誤訳訂正１３】
【訂正対象書類名】明細書
【訂正対象項目名】００４５
【訂正方法】変更
【訂正の内容】
【００４５】
本発明の第２の実施の形態において、ポリアミノ酸の主鎖Ｃｐ及び分岐鎖Ｂは、α−Ｌ−アスパルテート又はα−Ｌ−アスパラギン酸のホモポリマーである。
【誤訳訂正１４】
【訂正対象書類名】明細書
【訂正対象項目名】００４６
【訂正方法】変更
【訂正の内容】
【００４６】
本発明の第３の実施の形態において、ポリアミノ酸の主鎖Ｃｐ及び分岐鎖Ｂは、α−Ｌ−グルタメート／α−Ｌ−アスパルテート又はα−Ｌ−グルタミン酸／α−Ｌ−アスパラギン酸の共重合体である。
【誤訳訂正１５】
【訂正対象書類名】明細書
【訂正対象項目名】００５０
【訂正方法】変更
【訂正の内容】
【００５０】
他の変形例において、本発明のポリアミノ酸は、グルタメート及び／又はアスパルテート単位に結合したポリエチレングリコール型のグラフト基を少なくとも１つ有していてもよい。
【誤訳訂正１６】
【訂正対象書類名】明細書
【訂正対象項目名】００６１
【訂正方法】変更
【訂正の内容】
【００６１】
本発明で用いることができる多くのポリマー、例えば、様々な分子量の、ポリ（α−Ｌ−アスパラギン酸）、ポリ（α−Ｌ−グルタミン酸）、ポリ（α−Ｄ−グルタミン酸）、及びポリ（γ−Ｌ−グルタミン酸）型のポリマーが市販されている。α−β型のポリアスパラギン酸は、アスパラギン酸を縮合（ポリスクシンイミドを生成する）後、塩基性条件下で加水分解することにより得られる（Ｔｏｍｉｄａ他、Ｐｏｌｙｍｅｒ  １９９７，３８，４７３３−３６参照）。
【誤訳訂正１７】
【訂正対象書類名】明細書
【訂正対象項目名】００６２
【訂正方法】変更
【訂正の内容】
【００６２】
本発明の好ましいポリマーである、構造（１）、（２）、及び（３）で表されるポリグルタメートの合成について、下記の工程を用いて説明する。これらのポリマーを得るための方法については何ら限定されない。説明のため、いくつかの合成スキームを以下に示す。官能基の重合及びカップリングに用いられる化学反応は、通常用いられており、当業者に周知のものである（例えば、本出願人による上記の特許又は特許出願公開公報を参照）。
【誤訳訂正１８】
【訂正対象書類名】明細書
【訂正対象項目名】００７８
【訂正方法】変更
【訂正の内容】
【００７８】
本発明の組成物が製薬組成物である場合は、経口、非経口、経鼻、膣内、眼球、皮下、静脈内、筋肉内、皮内、腹膜内、大脳内、又は口腔内の経路により投与可能である。
【誤訳訂正１９】
【訂正対象書類名】明細書
【訂正対象項目名】００８０
【訂正方法】変更
【訂正の内容】
【００８０】
他の変形例に係る本発明の組成物は、注射部位に持続性薬剤を形成することができるように製剤される。
【誤訳訂正２０】
【訂正対象書類名】明細書
【訂正対象項目名】００８１
【訂正方法】変更
【訂正の内容】
【００８１】
本発明はさらに、本発明のポリアミノ酸及び有効成分を含み、
・特に、経口、非経口、経鼻、膣内、眼球、皮下、静脈内、筋肉内、皮内、腹膜内、及び大脳内投与のための薬剤であって、これらの薬剤の活性成分が、具体的には、タンパク質、糖タンパク、１つ以上のポリアルキレングリコール｛例えばポリエチレングリコール（ＰＥＧ）で、この場合には「ＰＥＧ修飾」タンパク質という用語が用いられる｝に結合したタンパク質、ペプチド、多糖、リポ化糖、オリゴヌクレオチド、ポリヌクレオチド、及び低分子量の疎水性、親水性、又は両親媒性の有機分子である薬剤；
・及び／又は食品；
・及び／又は化粧品若しくは植物衛生用品、
の調製に使用することができる組成物に関する。
【誤訳訂正２１】
【訂正対象書類名】明細書
【訂正対象項目名】００８２
【訂正方法】変更
【訂正の内容】
【００８２】
本発明のさらに異なる特徴によると、本発明は、特に、経口、非経口、経鼻、膣内、眼球、皮下、静脈内、筋肉内、皮内、腹膜内、及び大脳内投与のための薬剤で、これらの薬剤の活性成分が、具体的には、タンパク質、糖タンパク、１つ以上のポリアルキレングリコール｛例えばポリエチレングリコール（ＰＥＧ）で、この場合には「ＰＥＧ修飾」タンパク質という用語が用いられる｝に結合したタンパク質、ペプチド、多糖、リポ化糖、オリゴヌクレオチド、ポリヌクレオチド、及び低分子量の疎水性、親水性、又は両親媒性の有機分子である薬剤；
・及び／又は食品；
・及び／又は化粧品若しくは植物衛生用品、
を調製する方法であって、以上に定義される少なくとも１つのポリアミノ酸及び／又は以上に開示される組成物を使用する工程を本質的に含むことを特徴とする方法に関する。
【誤訳訂正２２】
【訂正対象書類名】明細書
【訂正対象項目名】００８３
【訂正方法】変更
【訂正の内容】
【００８３】
本発明はさらに、本明細書に開示されるように、前記組成物を本質的に経口、非経口、経鼻、膣内、眼球、皮下、静脈内、筋肉内、皮内、腹膜内、大脳内、又は口腔の経路によって投与する工程を含む治療方法に関する。
【誤訳訂正２３】
【訂正対象書類名】明細書
【訂正対象項目名】００８４
【訂正方法】変更
【訂正の内容】
【００８４】
本発明の特定の変形例において、前記治療方法は、本質的に、上述の組成物を生体適合性溶媒中の溶液の形態で投与する工程、及びその後これを皮下若しくは筋肉内の経路により、又は腫瘍中に、好ましくは注射部位に持続性薬剤を生成させるような方法で注射する工程を含む。
【誤訳訂正２４】
【訂正対象書類名】明細書
【訂正対象項目名】００８６
【訂正方法】変更
【訂正の内容】
【００８６】
【実施例】
＜実施例１＞タイプ（Ｉ）のポリマー（１）の合成
（指数及び官能基）
ｍ＝１０８、ｎ＝８、ｏ＝４、ｐ＝１５
ＧＨ＝Ｄ，Ｌ−α−トコフェロール（Ｔ）
Ａ＝−ＣＨ２−ＣＨ２−（グルタメート）；Ｅ＝ＮＨ２、Ｅ’＝ロイシナミド；Ｃ，Ｄ＝直接結合
【誤訳訂正２５】
【訂正対象書類名】明細書
【訂正対象項目名】００９１
【訂正方法】変更
【訂正の内容】
【００９１】
＜実施例２＞タイプ（Ｉ）のポリマー（２）の合成
（指数及び官能基）
ｍ＝１０５、ｎ＝８、ｏ＝７、ｐ＝１５
ＧＨ＝Ｄ，Ｌ−α−トコフェロール（Ｔ）
Ａ＝−ＣＨ２−ＣＨ２−（グルタメート）；Ｅ＝ＮＨ２、Ｅ’＝グルタミン酸ジエチルエステル；Ｃ，Ｄ＝直接結合
【誤訳訂正２６】
【訂正対象書類名】明細書
【訂正対象項目名】００９６
【訂正方法】変更
【訂正の内容】
【００９６】
＜実施例３＞タイプ（Ｉ）のポリマー（３）の合成
（指数及び官能基）
ｍ＝１０５、ｎ＝８、ｏ＝７、ｐ＝８
ＧＨ＝Ｄ，Ｌ−α−トコフェロール（Ｔ）
Ａ＝−ＣＨ２−ＣＨ２−（グルタメート）；Ｅ＝ＮＨ２、Ｅ’＝ロイシナミド；Ｃ，Ｄ＝直接結合
【誤訳訂正２７】
【訂正対象書類名】明細書
【訂正対象項目名】００９８
【訂正方法】変更
【訂正の内容】
【００９８】
＜実施例４＞タイプ（Ｉ）のポリマー（４）の合成
（指数及び官能基）
ｍ＝２５、ｎ＝７、ｏ＝３、ｐ＝１５
ＧＨ＝Ｄ，Ｌ−α−トコフェロール（Ｔ）
Ａ＝−ＣＨ２−ＣＨ２−（グルタメート）；Ｅ＝ＮＨ２、Ｅ’＝ロイシナミド；Ｃ，Ｄ＝直接結合
【誤訳訂正２８】
【訂正対象書類名】明細書
【訂正対象項目名】０１００
【訂正方法】変更
【訂正の内容】
【０１００】
＜実施例５＞タイプ（ＩＩ）のポリマー（５）の合成
（指数及び官能基）
ｍ＝１０３、ｎ＝５、ｏ＝１２、ｐ＝３０、ｑ＝１
ＧＨ＝Ｄ，Ｌ−α−トコフェロール（Ｔ）
Ａ＝−ＣＨ２−ＣＨ２−（グルタメート）；Ｅ＝ＮＨ２、Ｅ’＝ロイシナミド；Ｃ，Ｄ＝直接結合